(57)【特許請求の範囲】
【請求項１】
車両に搭載され、映像データを取得するカメラと、
前記カメラにより取得された前記映像データのエンコードを行う画像処理部と、
音声を音声データとして取得し、前記音声データを再生する音声制御部と、
前記画像処理部によりエンコードされた前記映像データと前記音声制御部により取得された前記音声データとの記録を制御する記録制御部と、
前記画像処理部、前記音声制御部及び前記記録制御部を制御する制御部と、
前記映像データを表示する表示部と、
前記音声データを音声として出力するスピーカと、
前記単位映像データをデコードして前記表示部に表示させる表示制御部と、
を備え、
前記制御部は、
前記音声制御部により取得された音声データのうち、所定の時間内に記録された音声データを、リニアＰＣＭ方式により単位音声データとして前記記録制御部に記録させると共に、
前記カメラにより取得された映像データのうち、前記所定の時間内に記録された映像データを、単位画像からなる単位映像データとして前記単位音声データに対応させて前記記録制御部に記録させ、
前記音声制御部に、記録された前記単位音声データを音声として前記スピーカから再生させる指示を行うと共に、前記表示制御部に、前記単位音声データに対応して記録された前記単位映像データを、所定の間隔のタイミング信号に同期して前記表示部に送り、前記表示部に表示させる指示を行う
ことを特徴とするドライブレコーダ。
【請求項２】
前記制御部は、前記単位音声データに記録開始時の時刻情報を付与して前記記録制御部に記録させることを特徴とする請求項１に記載のドライブレコーダ。
【請求項３】
前記制御部は、前記表示制御部に前記単位映像データを前記表示部に表示させる指示を行い、
前記表示制御部は、前記単位映像データの一つの単位画像をデコードして前記表示部に表示し、当該単位画像が前記表示部に表示されている間に、次の単位画像のデコードを行うことを特徴とする請求項１又は２に記載のドライブレコーダ。
【発明の詳細な説明】
【技術分野】
【０００１】
本発明は、車両の映像データ及び音声データを記録するドライブレコーダに関する。
【背景技術】
【０００２】
車両の走行データを映像データと共に記録するドライブレコーダを車両に搭載することが行われている。ドライブレコーダは、例えば車両に衝撃が発生した場合に、その衝撃が発生した時刻を含む前後の所定時間の映像データを取得し、メモリカードに記録するように構成されている。
【０００３】
また、ドライブレコーダにおいて、メモリカードに記録された映像データの内容を確認する場合には、車載のカーナビゲーションシステムのモニタ機能を利用して映像データを再生する又は映像データ再生機能を備えるパーソナルコンピュータ（ＰＣ）にメモリカードを移動させる必要がある。
【０００４】
特許文献１には、カメラにより取得された画像データを表示するモニタとして、車両の制御内容を表示するためのモニタ又はカーナビゲーション用のモニタとしたドライブレコーダが開示されている。
【先行技術文献】
【特許文献】
【０００５】
【特許文献１】特開２００９−１９３２５７号公報
【発明の概要】
【発明が解決しようとする課題】
【０００６】
従来技術において、動画情報の記録フォーマットとして一般的に用いられるものにＭＰＥＧ４等の動画圧縮形式が知られている。ＭＰＥＧ４形式で記録された映像データは音声を含んで記録可能であるので、ドライブレコーダに再生機能を備えて、映像データと音声データとを再生することができる。しかしながらＭＰＥＧ４形式は、フレーム間圧縮により記録される。ＭＰＥＧ４形式は、動画から単一の静止画像データを抜き出したとしても画像の鮮鋭度が低いため、証拠能力が劣る。
【０００７】
また、モーションＪＰＥＧ形式という画像圧縮規格も知られている。モーションＪＰＥＧ形式は、フレーム間の圧縮を行わないため、静止画像データを抜き出した場合の精鋭度が高いので証拠能力も高い。
【０００８】
一方で、モーションＪＰＥＧ形式ではＭＰＥＧ４形式よりも記録されるデータサイズが大きくなる、また、映像データと共に音声データを記録しようとした場合には、モーションＪＰＥＧでは音声を同時に記録したり同時に再生する規格が存在しないので、音声データを記録する処理部を備えたり、映像データを表示する表示部を備えただけでは、モーションＪＰＥＧの映像データと音声データとを同期して記録、再生することが容易でなかった。
【０００９】
本発明は、このような問題点に鑑みてなされたものであり、映像データと音声データとを同時に記録できるドライブレコーダを提供することを目的とする。
【課題を解決するための手段】
【００１０】
本発明は、車両に搭載され、映像データを取得するカメラと、カメラにより取得された映像データのエンコードを行う画像処理部と、音声を音声データとして取得し、音声データを再生する音声制御部と、画像処理部によりエンコードされた映像データと音声制御部により取得された音声データとの記録を制御する記録制御部と、画像処理部、音声制御部及び記録制御部を制御する制御部と、映像データを表示する表示部と、音声データを音声として出力するスピーカと、単位映像データをデコードして表示部に表示させる表示制御部と、を備え、制御部は、音声制御部により取得された音声データのうち、所定の時間内に記録された音声データを、リニアＰＣＭ方式により単位音声データとして記録制御部に記録させると共に、カメラにより取得された映像データのうち、所定の時間内に記録された映像データを、単位画像からなる単位映像データとして単位音声データに対応させて記録制御部に記録させ、音声制御部に、記録された単位音声データを音声としてスピーカから再生させる指示を行うと共に、表示制御部に、単位音声データに対応して記録された単位映像データを、所定の間隔のタイミング信号に同期して表示部に送り、表示部に表示させる指示を行うことを特徴とする。
【発明の効果】
【００１１】
本発明によれば、音声データを、単位音声データとして記録制御部に記録させると共に、映像データを、単位画像からなる単位映像データとして単位音声データに対応させて記録制御部に記録させるので、単位映像データと単位音声データとを対応付けて記録することができ、記録された単位映像データと単位音声データとを同期して再生することが可能になる。
【図面の簡単な説明】
【００１２】
【図１】本発明の実施形態の本発明のドライブレコーダを含むドライブレコーダシステムの説明図である。
【図２】本発明の実施形態のドライブレコーダの機能ブロック図である。
【図３】本発明の実施形態の制御部が実行する映像データの記録を示す説明図である。
【図４】本発明の実施形態の暗号化処理の説明図である。
【図５】本発明の実施形態の映像データ及び音声データの再生の処理を示す説明図である。
【発明を実施するための形態】
【００１３】
以下に、本発明の実施形態について、図面を参照して説明する。
【００１４】
図１は、本発明の実施形態のドライブレコーダ１０を含むドライブレコーダシステム１の説明図である。
【００１５】
ドライブレコーダシステム１は、車両１１に搭載されるドライブレコーダ１０と、事業所等に設置されるパーソナルコンピュータ（以下、ＰＣ）２０と、ドライブレコーダ１０が取得するデータを記録するメモリカード３０とから構成される。
【００１６】
ドライブレコーダ１０は、車両１１から走行データ（例えば車速、エンジン回転数、緯度、経度等）を取得して、これらを日時情報と共に所定の時間間隔で記録する。また、ドライブレコーダ１０は、カメラ１２が接続されており、カメラ１２により取得された映像データを記録する。また、ドライブレコーダ１０は、マイク１９２が接続されており、マイク１９２により取得された音声データを記録する。これら走行データ、映像データ及び音声データは、記録制御部１５０を介してメモリカード３０に記録される。
【００１７】
ドライブレコーダ１０は、メモリカード３０が挿入された状態でメモリカード３０との間でデータの書き込み及び読み出しを行う記録制御部１５０と、メモリカード３０に人為的に映像データを記録させる記録ボタン１８０と、点灯状態（色、点滅等）によりドライブレコーダ１０の状態を表示するＬＥＤ１９３とが設けられている。
【００１８】
ドライブレコーダ１０は、映像データを表示するための表示部１５を備える。また、ドライブレコーダ１０は、記録した音声を出力するスピーカ１９１を備える。なお、表示部１５は、例えば液晶ディスプレイ（ＬＣＤ）により構成されている。
【００１９】
ＰＣ２０は、メモリカード３０が挿入された状態でメモリカード３０との間でデータの書き込み及び読み出しを行うメモリカードインタフェース２１と、映像データ等を表示可能な液晶ディスプレイ等からなる表示部２２と、ユーザからの指示が入力可能なキーボード及びマウス等からなる入力部２３とから構成される。
【００２０】
メモリカード３０は、記録制御部１５０及びメモリカードインタフェース２１により読み書き可能に構成されており、例えばＳＤ（Secure Digital）やＣＦ（Compact Flash(登録商標））等のフラッシュメモリカードが用いられる。
【００２１】
図２は、本発明の実施形態のドライブレコーダ１０の機能ブロック図である。
【００２２】
ドライブレコーダ１０は、Ａ／Ｄ変換部１１０と、画像処理部１４０と、内部メモリ１３０と、記録制御部１５０と、制御部１６０と、表示制御部１６２と、加速度センサ１７０と、記録ボタン１８０と、音声制御部１９０と、電源制御部２００と、を備える。制御部１６０は、これら、Ａ／Ｄ変換部１１０、画像処理部１４０、内部メモリ１３０、記録制御部１５０、加速度センサ１７０、記録ボタン１８０、音声制御部１９０及び電源制御部２００に接続され、これら各部を制御する。また、制御部１６０はＬＥＤ１９３に接続し、ＬＥＤ１９３の点灯状態を制御する信号を出力する。また、制御部１６０は、フラッシュＲＯＭ１２０に接続し、フラッシュＲＯＭ１２０に記録されたデータの読み出しを制御する。
【００２３】
Ａ／Ｄ変換部１１０は、カメラ１２から受信した映像信号をＡ／Ｄ変換して映像データとして出力する。画像処理部１４０は、映像データ記録時には、Ａ／Ｄ変換部１１０から出力された映像データに対して所定のエンコード方式に基づいて画像処理を行い、エンコードされた映像データを内部メモリ１３０に出力する。
【００２４】
なお、本実施形態では、画像処理部１４０は、映像データを所定時間単位のＪＰＥＧ画像としてエンコードする。映像データの再生時には、ＪＰＥＧ画像を所定時間間隔で再生することにより、動画として再生される。
【００２５】
内部メモリ１３０は、ＳＤＲＡＭ等の揮発性メモリからなるバッファ領域を備え、制御部１６０の制御により、メモリカード３０に映像データを記録するとき一次的に映像データを記録するバッファとし用いることができる。
【００２６】
フラッシュＲＯＭ１２０は、フラッシュメモリ等の不揮発性メモリから構成されており、ドライブレコーダ１０に供給される電源が断たれてドライブレコーダ１０の動作が停止した後も、記録されたデータを保持できるように構成されている。フラッシュＲＯＭ１２０は、ドライブレコーダの動作に関わるプログラムや設定データを記録する。
【００２７】
加速度センサ１７０は、車両１１に加わる加速度を検出して、検出した加速度が所定の閾値を超えた場合に、その旨を制御部１６０に通知する。また、記録ボタン１８０は、加速度センサ１７０によるイベントの発生の検出にかかわらず、ユーザが操作することにより走行データ、映像データ及び音声データをメモリカード３０に記録させる。制御部１６０は、加速度センサ１７０からの通知を受けた場合は、車両１１に衝撃等のイベントが発生したと判断して、内部メモリ１３０のバッファ領域から衝撃発生時刻を含む前後の所定時間（例えばイベント検出前１２秒間及びイベント検出後８秒間）の映像データ及び音声データを抽出する。抽出した映像データ及び音声データは、記録制御部１５０によりメモリカード３０に記録される。
【００２８】
より具体的には、カメラ１２は映像信号を常に取得しており、この映像信号は、Ａ／Ｄ変換部１１０、画像処理部１４０を経て、映像データとして内部メモリ１３０に常に記録される。また映像データを記録しているのと同時に、マイク１９２に入力される音声は、音声制御部１９０の処理により、音声データとして内部メモリ１３０に常に記録される。
【００２９】
このようにして、加速度センサ１７０が所定の閾値を超えた値を検出したとき又は記録ボタン１８０が操作されたときのイベント検出時の映像データ及び音声データがメモリカード３０に記録される。
【００３０】
音声制御部１９０は、音声の記録及び再生を制御する。音声制御部１９０は、スピーカ１９１及びマイク１９２が接続される。音声制御部１９０は、制御部１６０の制御により、映像データを記録しているときにマイク１９２によりドライブレコーダ１０の周囲の音声を取得し、取得した音声データを内部メモリ１３０に記録する。また、音声制御部１９０は、制御部１６０の制御により音声データを再生するときに、これをスピーカ１９１を介して出力させる。
【００３１】
音声制御部１９０が記録する音声データは、例えばリニアＰＣＭ方式によりサンプリング及び量子化される。なお、リニアＰＣＭ方式は、記録される音声データのデータ量が固定長であるので、音声データの先頭からのビット数（オフセット）に対応して、先頭からの記録時間が推移する記録形式である。
【００３２】
電源制御部２００は、車両１１から電力の供給を受けて、制御部１６０及び制御部１６０介して各部に、電力を供給する。また、電源制御部２００はバッテリを内蔵しており、車両１１からの電力の供給が絶たれた場合にも一定時間制御部１６０及び各部に電力を供給できるように構成されている。
【００３３】
また、表示制御部１６２は、表示部１５に映像データ等を表示させる制御を行う。表示制御部１６２は、制御部１６０から送られた映像データをデコードして、表示部１５に表示させる。
【００３４】
次に、以上のように構成されたドライブレコーダ１０の動作を説明する。
【００３５】
図３は、本実施形態の制御部１６０が実行する映像データの記録を示す説明図である。
【００３６】
カメラ１２により取得された映像信号は、Ａ／Ｄ変換部１１０によりデジタルデータに変換され、画像処理部１４０により所定のエンコード方式にエンコードされ、映像データ２０１として内部メモリ１３０に記録される。映像データ２０１は、ＪＰＥＧ画像からなる複数の単位画像２０４から構成される。
【００３７】
また、マイク１９２に入力される音声は、音声制御部１９０によりデジタルデータに変換され、音声データ２１０として内部メモリ１３０に記録される。音声データ２１０は、リニアＰＣＭ形式のデジタルデータから構成される。
【００３８】
ここで、制御部１６０が加速度センサ１７０又は記録ボタン１８０の操作によりイベントが検出されたと判定した場合は、内部メモリ１３０から、イベントが検出された時刻を含む前後の所定時間内に記録されている映像データ２０１及び音声データ２１０を抽出する。制御部１６０は、抽出された映像データ２０１及び音声データ２１０を、記録制御部１５０を介してメモリカード３０に単位映像データ２０２及び単位音声データ２１１として記録する。単位映像データ２０２は、映像データ２０１から所定時間内に記録されていた複数の単位画像２０４を切り出し、これを時系列に連続して記録したものである。単位音声データ２１１は、音声データ２１０から所定時間内に記録されていた音声を切り出したものである。
【００３９】
また、制御部１６０は、単位映像データ２０２に含まれる単位画像２０４それぞれについて、単位映像データ２０２の先頭アドレスから当該単位画像２０４が存在するアドレスまでのオフセットと、当該単位画像２０４のサイズとを取得して、メモリカード３０に画像記録情報２０３として記録する。図３に示す例では、単位映像データ２０２は１５個の単位画像２０４を含んでおり、これら全てについて、オフセットとサイズとを取得して、画像記録情報２０３に記録する。
【００４０】
単位画像２０４は、画像処理部１４０においてエンコードされたときにサイズが決定する。そこで、例えば、制御部１６０が各単位画像２０４のサイズを記憶しておき、イベントの検出時にメモリカード３０に単位映像データ２０２を記録するときに、単位映像データ２０２に含まれる単位画像２０４のサイズを画像記録情報２０３に記録すると共に、単位映像データ２０２に記録された順に各単位画像２０４のオフセット位置を決定し、これを画像記録情報２０３に記録する。
【００４１】
または、制御部１６０が、メモリカード３０に単位映像データ２０２を記録した後、単位映像データ２０２の内容を先頭から取得して各単位画像２０４を検出し、それぞれについてサイズ及びオフセットを取得して、画像記録情報２０３に記録してもよい。
【００４２】
このような処理により、メモリカード３０に、イベントを検出した時に切り出された単位映像データ２０２に加えて、この単位映像データ２０２に対応する画像記録情報２０３が記録される。
【００４３】
この画像記録情報２０３を参照することにより、ドライブレコーダ１０やＰＣ２０において、単位映像データ２０２の再生が容易になる。例えば、ドライブレコーダ１０において単位映像データ２０２を再生するときに、画像記録情報２０３を参照して単位映像データ２０２に含まれている個々の単位画像２０４を独立して取得することができる。これにより、単位映像データ２０２を再生するときには、単位映像データ２０２の全てをメモリカード３０から一度に読み出す必要がなく、再生の要求があったときからすぐに再生処理を開始することができる。また、早送り再生及び巻き戻しの再生の場合にも、単位画像２０４毎に読み出すことができるので、単位映像データ２０２の全てをメモリカード３０から一度に読み出す必要がなく、読み出しの遅延が生じることがないので、単位映像データ２０２コマ送りや早送り、巻き戻しが容易に行える。
【００４４】
また、単位音声データ２１１は、音声ファイルとしてメモリカード３０に記録され、単位映像データ２０２とは別のファイルに記録される。さらに、単位音声データ２１１は、リニアＰＣＭ方式により記録される。すなわち、音声データ２１０の先頭からのビット数に対応して先頭からの記録時間が推移するように記録される。従って、単位映像データ２０２がモーションＪＰＥＧであっても、単位映像データ２０２と単位音声データ２１１とを同期して記録させることができる。また、先頭からのオフセット位置により所望の時刻の音声を再生できるので、音声の再生時刻に合わせた単位映像データ２０２を表示すればよく、単位映像データ２０２と同時に音声を再生することが容易である。
【００４５】
また、制御部１６０は、単位映像データ２０２をメモリカード３０に記録するときに、単位映像データ２０２の暗号化処理を行ってもよい。単位映像データ２０２の暗号化処理を行うことにより、メモリカード３０に記録されている単位映像データ２０２が第三者により読み取りや改ざんされる虞がなくなる。
【００４６】
具体的には、単位映像データ２０２に含まれる個々の単位画像２０４について、単位画像２０４の先頭部分の所定の領域（ＪＰＥＧヘッダ領域２１４）を、次に説明するような所定の暗号化方式により暗号化する。
【００４７】
図４は、本実施形態の暗号化処理の説明図である。
【００４８】
制御部１６０は、単位画像２０４のＪＰＥＧヘッダ領域２１４を、予め設定されている暗号化キーを用いて、ビットシフト等の手法により暗号化を行う。この暗号化キーは、単位映像データ２０２のファイル名や記録日時等の情報を元に、例えばハッシュ関数を用いてドライブレコーダ１０内で一意の暗号化キーとして作成される。このとき、制御部１６０は、ＪＰＥＧヘッダ領域２１４の少なくとも一部を暗号化する。例えば、制御部１６０は、ＪＰＥＧヘッダ領域２１４の先頭部分から、所定のバイト数の間の領域のデータを暗号化キーにより暗号化する。また、暗号化される領域は不定長とする。
【００４９】
制御部１６０は、単位画像２０４のＪＰＥＧヘッダ領域２１４を１６進数表記したときの各バイトを、暗号化キーによりシフトした文字列に変換することにより暗号化を行う。暗号化キーは、例えば０〜２５５の数値となっており、ＪＰＥＧヘッダ領域２１４を構成する各バイトをそれぞれ暗号化キーの数値に対応してシフトすることにより、ファイルが、第三者により解読することが極めて困難なデータとなる。
【００５０】
また、暗号化を行う領域は、ＪＰＥＧヘッダ領域２１４の先頭から、暗号化キーの数値に対応したバイト数（例えば１〜２５６）までを、前述のように暗号化キーによりシフトした文字列に変換する。
【００５１】
このように、ＪＰＥＧデータであることを示すＪＰＥＧヘッダ領域２１４を暗号化することにより、単位画像２０４を連続して記録している単位映像データ２０２においては、単位画像２０４と単位画像２０４との境界が第三者により判別できなくすることができる。従って、第三者は、単位映像データ２０２から、個々の単位画像２０４を解読して取得することが極めて困難となり、第三者により個々の単位画像２０４が解読されることが防止される。
【００５２】
一方で、暗号化キーは、前述のように、例えば単位映像データ２０２のファイル名や記録日時等の情報からハッシュ関数を用いて一意の暗号化キーとして作成される。この映像データのファイル名や記録日時等の情報及びハッシュ関数を用いることで、暗号化された映像データを復号化する処理を行うことができる。また、暗号化される領域は単位画像の先頭から数バイトであるので、暗号化処理及び復号化処理の処理負荷が小さくて済む。
【００５３】
次に、記録された単位映像データ２０２及び単位音声データ２１１の再生処理を説明する。
【００５４】
図５は、本実施形態のドライブレコーダ１０における単位映像データ２０２及び単位音声データ２１１の再生の処理を示す説明図である。
【００５５】
この図５に示す例は、例えばユーザから単位映像データ２０２の再生指示があったときに、メモリカード３０に記録されている単位音声データ２１１を音声制御部１９０の処理によりスピーカ１９１を介して再生させると共に、メモリカード３０に記録されている単位映像データ２０２を表示部１５に表示させる処理を示す。
【００５６】
制御部１６０は、単位映像データ２０２の再生指示があった場合は、まず、メモリカード３０に記録されている単位音声データ２１１を取得して、音声制御部１９０を制御して、音声をスピーカ１９１から出力させる。
【００５７】
音声制御部１９０は、制御部１６０から単位音声データ２１１が送られると、送られた単位音声データ２１１をコーデックによりデコードし、Ｄ／Ａ変換等の信号処理を行って音声信号に変換する。変換された音声信号はスピーカ１９１より音声として出力される。
【００５８】
また、制御部１６０は、例えば、単位音声データ２１１の先頭部分から再生指示があった場合に、当該単位音声データ２１１に同期する単位映像データ２０２の先頭部分の単位画像２０４（００１．ＪＰＧ）を読み出し、表示制御部１６２に送る。
【００５９】
具体的には、制御部１６０は、画像記録情報２０３を参照して、単位音声データ２１１の先頭部部分に同期する単位画像２０４の位置及びサイズをメモリカード３０に記録されている単位映像データ２０２から取得して、単位画像２０４（００１．ＪＰＧ）を読み出す、読み出した単位画像２０４は、表示制御部１６２に送られる。
【００６０】
ここで、制御部１６０は、所定の間隔のタイミング信号（V_sync）を生成している。このタイミング信号は、単位映像データ２０２のフレームレートの単位時間であり、例えば、３０［ｆｐｓ］とする。また、表示部１５は、このタイミング信号を、単位映像データ２０２を表示する同期信号に用いる。
【００６１】
以降は、制御部１６０は、タイミング信号に同期して、次の単位映像データ２０２の一つのフレームである単位画像２０４（００２．ＪＰＧ）を一つ読み出して表示制御部１６２に送る。表示制御部１６２は、一つ前の単位画像２０４（００１．ＪＰＧ）を表示部１５に表示している間に、送られた次の単位画像２０４（００２．ＪＰＧ）をデコードする。そして、デコードされた次の単位画像２０４（００２．ＪＰＧ）を表示部１５に表示させる。これを繰り返すことにより、タイミング信号に同期して単位画像２０４が表示部１５に次々と表示されることにより、単位映像データ２０２が動画として再生される。なお、単位音声データ２１１は、前述のようにリニアＰＣＭ方式により記録されているので、単位映像データ２０２の再生による時刻の推移は、単位音声データ２１１の再生による時刻の推移と同期することができる。従って、単位映像データ２０２の先頭にある単位画像２０４の再生の開始を、単位音声データ２１１を再生するのと同じタイミングとすれば、以降は、単位映像データ２０２と単位音声データ２１１とが同期して再生される。
【００６２】
以上のように、本発明の実施の形態のドライブレコーダ１０は、カメラ１２により取得された映像データ２０１のエンコードを行う画像処理部１４０と、マイク１９２により取得される音声を音声データ２１０として取得する音声制御部１９０と、を備え、制御部１６０は、音声制御部１９０により取得された音声データ２１０のうち、所定の時間内に記録された音声データ２１０を、単位音声データ２１１として記録制御部１５０を介してメモリカード３０に記録させると共に、カメラ１２により取得された映像データ２０１のうち、所定の時間内に記録された映像データ２０１を、単位画像２０４からなる単位映像データ２０２として単位音声データ２１１に対応させて記録制御部１５０を介してメモリカード３０に記録させるように構成した。
【００６３】
このように構成することにより、ドライブレコーダ１０は、単位映像データ２０２と単位音声データ２１１とを共に記録することができる。
【００６４】
また、映像データを表示する表示部１５と、音声データを音声として出力するスピーカ１９２と、単位映像データ２０２をデコードして表示部１５に表示させる表示制御部１６２をさらに備え、制御部１６０は、音声制御部１９０に、記録された単位音声データ２１１を音声としてスピーカ１９１から再生させる指示を行うと共に、表示制御部１６２に、単位音声データ２１１に対応して記録された単位映像データ２０２を表示部１５に表示させる指示を行うように構成した。
【００６５】
このように構成することにより、単位音声データ２１１と、単位映像データ２０２とを、同時に再生することができる。特に、単位映像データ２０２と共に単位音声データ２１１を再生するときに、単位映像データ２０２の単位画像２０４を、画像記録情報２０３を参照して連続して再生することができる。画像記録情報２０３を参照して、単位音声データ２１１に対応する単位画像２０４を再生するので、音声と映像を容易に同期して再生することができる。
【００６６】
また、音声制御部１９０により取得される音声データ２１０はリニアＰＣＭ方式により記録される。リニアＰＣＭ方式は、記録される音声データ２１０のデータ量が固定長であるので、音声データ２１０の先頭からのビット数（オフセット）に対応して、先頭からの記録時間が推移する記録形式であるので、単位映像データ２０２の先頭にある単位画像２０４の再生の開始を、単位音声データ２１１を再生するのと同じタイミングとすれば、単位映像データ２０２と単位音声データ２１１とが同期して再生される。
【００６７】
また、単位音声データ２１１に切り出した時点での時刻情報を記録することにより、単位映像データ２０２と単位音声データ２１１と記録された時刻を同期して再生することができる。特に、メモリカード３０内に複数の映像データ２０１、音声データ２１０が記録されている場合であっても、切り出した時点での時刻情報が記録されていることにより、単位映像データ２０２と単位音声データ２１１とを対応させることができ、単位映像データ２０２と単位音声データ２１１とを同期して再生させることができる。
【００６８】
また、制御部１６０は、単位映像データ２０２に含まれる単位画像２０４を順次読み出して表示制御部１６２に送る。表示制御部１６２は、単位映像データ２０２のうち一つの単位画像２０４をデコードして表示部１５に表示し、当該単位画像２０４が表示部１５に表示されている間に、次のタイミングで記録された単位画像２０４のデコードを行う。このように構成することにより、表示制御部１６２においてデコード処理のための遅延が生じることなく、表示部１５にタイミング信号に同期して単位画像２０４が次々と表示されることにより、単位映像データ２０２を動画として再生させることができる。
【００６９】
なお、単位映像データ２０２をメモリカード３０に記録するときに、単位映像データ２０２に含まれる個々の単位画像２０４の一部（ＪＰＥＧヘッダ部分）を暗号化キーにより暗号化してもよい。この暗号化処理では、単位映像データ２０２全体を暗号化するよりも処理が容易となる。従って、処理負荷や処理速度を高めるために制御部等のコストを増加することがない。
【００７０】
本発明は上記した実施形態に限定されるものではなく、その技術的思想の範囲内でなしうるさまざまな変更、改良が含まれることは言うまでもない。
【符号の説明】
【００７１】
１    ドライブレコーダシステム
１０  ドライブレコーダ
１１  車両
１２  カメラ
２０  パーソナルコンピュータ（ＰＣ）
３０  メモリカード
１１０    Ａ／Ｄ変換部
１２０    フラッシュＲＯＭ
１３０    内部メモリ
１４０    画像処理部
１５０    記録制御部
１６０    制御部
１６２    表示制御部
１７０    加速度センサ
１８０    記録ボタン
１９０    音声制御部
【図１】
0005767982.tif 000002
【図２】
0005767982.tif 000003
【図３】
0005767982.tif 000004
【図４】
0005767982.tif 000005
【図５】
0005767982.tif 000006